(57)【要約】【課題】使用時に所定の音響効果が得られるのはもちろんのこと、移動時の音響反射板が不必要に揺れたりせず、また、移動を繰り返しても音響反射板の左右端間にズレを招来させないようにする。【解決手段】舞台Ｓ上で客席Ｇ側に対向する正面の音響反射板１０と、この正面の音響反射板１０の左右側端に水平方向に揺動可能に連結される左右の音響反射板２０と、正面の音響反射板１０の上端に起伏可能に連結される天井の音響反射板３０とを有してなり、正面の音響反射板１０の頂部が舞台Ｓの左右側の上方で舞台Ｓの奥側から客席Ｇ側にかけて延在される一対のレール１に連繋されてなる。【選択図】        図１
2004147736.tif 000002
【特許請求の範囲】
【請求項１】
舞台上で客席側に対向する正面の音響反射板と、この正面の音響反射板の左右側端に水平方向に揺動可能に連結される左右の音響反射板と、正面の音響反射板の上端に起伏可能に連結される天井の音響反射板とを有してなり、正面の音響反射板の頂部が舞台の左右側の上方で舞台の奥側から客席側にかけて延在される一対のレールに連繋されてなることを特徴とする音響反射板装置
【請求項２】
天井の音響反射板が正面の音響反射板の頂部あるいは頂部近傍に配在された駆動機構の駆動で起伏され、あるいは、天井から垂下されるワイヤなどの牽引体の上下動で起伏されてなる請求項１に記載の音響反射板装置
【請求項３】
正面の音響反射板の頂部が舞台の左右側に延在される梁部材を有すると共に、この梁部材の両端が舞台の左右側の上方で舞台の奥側から舞台の客席側にかけて延在される一対のレールに連繋されてなる請求項１に記載の音響反射板装置
【請求項４】
舞台の左右側の上方で舞台の奥側から舞台の客席側にかけて延在される一対のレールに走行台車が連繋されてなると共にこの走行台車に正面の音響反射板の頂部に保持されて舞台の左右側に延在される梁部材の両端が固定的に連繋されてなる請求項３に記載の音響反射板装置
【発明の詳細な説明】
【０００１】
【発明の属する技術分野】
この発明は、劇場などの舞台に移動可能に設置される音響反射板装置の改良に関する。
【０００２】
【従来の技術】
たとえば、劇場などの舞台には、オーケストラの演奏などにおける音響効果を高めるために音響反射板装置が設置されるが、この音響反射板装置は、多くの場合に、移動可能とされている（たとえば、特許文献１）。
【０００３】
そして、この移動可能とされる音響反射板装置にあって、音響反射板は、舞台の上方の天井やその近傍にあって舞台の奥側から舞台の客席側に向かって架設されていわゆる左右の一対となるレールに移動可能に連繋する滑車に吊持されるとしている。
【０００４】
それゆえ、この音響反射板装置にあっては、音響反射板を吊持する滑車がレールに副って移動することで、音響反射板が舞台の奥側から舞台の客席側との間で移動し得ることになる。
【０００５】
【特許文献１】
特開２０００−１５３０８０号公報（明細書中の段落００２２，００３１，図１，図３）
【０００６】
【発明が解決しようとする課題】
しかしながら、上記した音響反射板装置にあって、音響反射板は、吊束部材を介して滑車に吊持されるとしており、それゆえ、滑車がレールに副って移動する際に、音響反射板が吊束部材を介していわゆる揺れ易くなる不具合がある。
【０００７】
のみならず、滑車は、左右のレール毎で移動するから、この左右で言わば離れて移動する滑車を同期移動させるのが容易でなく、多くの場合に、滑車の往復を繰り返しているうちに、左右の滑車間にいわゆるズレを生じて、音響反射板がいわゆる斜めになって移動することになる危惧がある。
【０００８】
この発明は、上記した事情を鑑みて創案されたもので、その目的とするところは、使用時に所定の音響効果が得られるのはもちろんのこと、移動時の音響反射板が不必要に揺れたりせず、また、移動を繰り返しても音響反射板の左右端間にズレを招来させずして、その汎用性の向上を期待するに最適となる音響反射板装置を提供することである。
【０００９】
【課題を解決するための手段】
上記した目的を達成するために、この発明による音響反射板装置の構成を、基本的には、舞台上で客席側に対向する正面の音響反射板と、この正面の音響反射板の左右側端に水平方向に揺動可能に連結される左右の音響反射板と、正面の音響反射板の上端に起伏可能に連結される天井の音響反射板とを有してなり、正面の音響反射板の頂部が舞台の左右側の上方で舞台の奥側から客席側にかけて延在される一対のレールに連繋されてなるとする。
【００１０】
それゆえ、正面の音響反射板が左右のレールに直接担持され得ることになり、したがって、この正面の音響反射板をレールに副って移動させるときに、これを揺れないようにし得ることになる。
【００１１】
そして、上記した構成において、より具体的には、天井の音響反射板が正面の音響反射板の頂部あるいは頂部近傍に配在された駆動機構の駆動で起伏され、あるいは、天井から垂下されるワイヤなどの牽引体の上下動で起伏されてなるとする。
【００１２】
それゆえ、不使用時に天井の音響反射板を正面の音響反射板の上端部に垂下するように折り畳み得るから、左右の音響反射板を正面の音響反射板の背面に折り畳み得ることと相俟って、いわゆるコンパクト化することが可能になり、格納時の省スペース化を具現化できる。
【００１３】
また、正面の音響反射板の頂部が舞台の左右側に延在される梁部材を有すると共に、この梁部材の両端が舞台の左右側の上方で舞台の奥側から客席側にかけて延在される一対のレールに連繋されてなるとする。
【００１４】
それゆえ、正面の音響反射板が頂部に梁部材を有することで、この正面の音響反射板における機械的強度が向上されると共に、この機械的強度が向上された正面の音響反射板がレールに副って移動することになるから、この正面の音響反射板が捩れるようになって移動することを阻止できる。
【００１５】
このとき、舞台の左右側の上方で舞台の奥側から客席側にかけて延在される一対のレールに走行台車が連繋されてなると共にこの走行台車に正面の音響反射板の頂部に保持されて舞台の左右側に延在される梁部材の両端が固定的に連繋されてなるとしても良い。
【００１６】
それゆえ、正面の音響反射板は、梁部材の両端が固定状態に連繋される走行台車を介してレールに連繋されるとするから、両方の走行台車が剛体の梁部材で連結されることになり、したがって、走行台車のレール上での往復が繰り返されても、両方の走行台車間における位置ズレの発生を阻止し得る。
【００１７】
【発明の実施の形態】
以下に、図示した実施形態に基づいてこの発明を説明するが、この発明の一実施形態による音響反射板装置は、図１および図２に示すように、正面の音響反射板１０と、左右の音響反射板２０と、天井の音響反射板３０（図１参照）とを有してなる。
【００１８】
このとき、各音響反射板１０，２０，３０は、たとえば、フレーム構造に形成されて軽量化が図られており、また、音響効果を改善するために、それぞれの客席Ｇ（図１参照）側に対面することになるいわゆる内側面に化粧材を兼ねる音響反射材（符示せず）を展設させている。
【００１９】
少し説明すると、正面の音響反射板１０は、舞台Ｓ（図１参照）上で客席Ｇ側に対向するように立設されるもので、基本的には、図１中で上方側となる天井側に吊持されて下端が舞台Ｓの床面Ｆから浮き上がった状態に維持されるとしている。
【００２０】
それゆえ、この正面の音響反射板１０を舞台Ｓ上で移動させるのに際して、床面Ｆに専用レールなどを敷設しなくて済むことになる。
【００２１】
このとき、この発明では、正面の音響反射板１０の頂部が舞台Ｓの左右側の上方であって舞台Ｓの奥側から客席Ｇ側にかけて延在される一対のレール１に連繋されてなるとしている。
【００２２】
それゆえ、この音響反射板装置にあっては、正面の音響反射板１０が左右のレール１に直接担持され得ることになり、したがって、この正面の音響反射板１０をレール１に副って移動させるときに、正面の音響反射板１０が揺れることを抑制し得ることになる。
【００２３】
ところで、図示するところにあっては、正面の音響反射板１０の頂部をレール１に連繋するについては、まず、正面の音響反射板１０の頂部が舞台Ｓの左右側に延在される梁部材２を有するとし、この梁部材２の両端が上記の一対のレール１に連繋されてなるとしている。
【００２４】
それゆえ、正面の音響反射板１０が頂部に梁部材２を有することで、この正面の音響反射板１０における機械的強度が向上されるのはもちろんのこと、この機械的強度が向上された正面の音響反射板１０がレール１に副って移動することになるから、この正面の音響反射板１０が捩れるようになって移動することを阻止できることになる。
【００２５】
このとき、図示するところでは、上記のレール１に走行台車３が連繋されてなると共に、この走行台車３に上記の梁部材２の両端が固定的に連繋されてなるとしている。
【００２６】
それゆえ、正面の音響反射板１０は、梁部材２の両端が固定状態に連繋される走行台車３を介してレール１に連繋されることになるから、左右の走行台車３における走行を同期させ易くなる。
【００２７】
すなわち、一方の走行台車３が駆動構造に構成されるのに対して他方の走行台車３が従動構造に構成されるとしても、両方の走行台車３は、言わば剛体の梁部材２で連結されるから、走行台車３のレール１上での往復が繰り返されても、両方の走行台車間における位置ズレの招来を危惧しなくて済むことになる。
【００２８】
左右の音響反射板２０は、正面の音響反射板１０の左右側端に水平方向への揺動を可能に、すなわち、たとえば、ヒンジＨ（図２参照）の利用下に水平方向への回動を可能にするように保持されるとしている。
【００２９】
このとき、この左右の音響反射板２０は、正面の音響反射板１０と同様に、いわゆる利用時はもちろんのこと、不使用時にも下端が舞台Ｓの床面Ｆから浮き上がった状態に維持されているのはのはもちろんである。
【００３０】
それゆえ、使用時には、図２中に実線図で示ように、客席Ｇ側に回動されて使用状態におかれ、不使用時、特に、舞台Ｓの奥側への格納時には、図２中に仮想線図で示すように、舞台Ｓの奥側に回動されて正面の音響反射板１０の背面に副うようにされて、いわゆる折り畳まれた不使用状態におかれることになる。
【００３１】
なお、この左右の音響反射板２０の回動は、図示する実施の形態では、舞台Ｓの床面Ｆ上に居る作業者の操作によるが、これに代えて、図示しないが、いわゆる内蔵する駆動機構によって、自動的に回動するように設定されても良い。
【００３２】
ただ、その場合には、左右の音響反射板２０の重量が増大されて、その荷重を正面の音響反射板１０に負担させることになり、結果として、正面の音響反射板１０の移動容易性を低下させる上に、利用時の経費を含めて、コストが高くなる不利が危惧されるので、好ましい選択とは言い得ないであろう。
【００３３】
天井の音響反射板３０は、正面の音響反射板１０の上端部たる頂部に、図示しないが、ヒンジなどの利用下に起伏可能に保持されており、図示する実施の形態では、舞台Ｓの上方に配備された移動可能なバトン機構（図示せず）から垂下されるワイヤなどの吊り材Ｗ（図１参照）に連結されてなるとしている。
【００３４】
この天井の音響反射板３０がバトン機構からの吊り材Ｗに連結されるとすることで、通常、舞台Ｓの上方にはバトン機構が配在されているので、このバトン機構を利用して吊り材Ｗの昇降を実現し得ることになり、天井の音響反射板３０の起伏を容易に実現し得ると共に、この天井の音響反射板３０あるいは正面の音響反射板１０に専用の起伏機構を内蔵させなくて済み、重量の増大化を防げると共に、コストの上昇化を防げることになる。
【００３５】
なお、この天井の音響反射板３０は、いわゆる不使用時に、図１中に仮想線図で示すように、正面の音響反射板１０の背面側に倒伏されていわゆる折り畳まれた不使用状態におかれる。
【００３６】
このことからすれば、上記の天井の音響反射板３０を起伏させるについては、上記した吊り材Ｗの利用に代えて、駆動機構４を利用するとしても良く、この場合には、吊り材Ｗを垂下するバトン装置を他の用途に転用することを可能にし得る点で有利となる。
【００３７】
なお、上記の駆動機構４は、図示するところでは、正面の音響反射板１０の頂部に配在されてなるとしているが、これに代えて、図示しないが、正面の音響反射板１０の頂部から離れた近傍に配在されてなるとしても良い。
【００３８】
また、この駆動機構４の構成については、所定の駆動を実現し得る限りにおいて自由な構成を選択でき、たとえば、油圧モータが利用されたり、あるいは、電動モータが利用されたりするであろう。
【００３９】
以上からすれば、正面の音響反射板１０は、結果として梁部材２に直接吊持されていれば良く、したがって、その観点からすれば、この梁部材２が水平方向に適宜に折り曲げられ、あるいは、じょうげ方向に折り曲げられてなるとしても良いことはもちろんである。
【００４０】
また、正面の音響反射板１０および左右の音響反射板２０の構成については、所定の音響効果を具現化できる限りにおいて、自由な設定をして良く、図示しないが、たとえば、左右の音響反射板２０に出入り口を構成する小さな音響反射板を組み付けるような構成としても良いことはもちろんである。
【００４１】
なお、走行台車３については、前記したように、一方が駆動構造に構成されて駆動台車とされ、他方が従動構造に構成されて従動台車とされるなどの自由な構成を選択できる上に、その走行中にレール１からいわゆる脱輪しないように構成され、また、いわゆるリミットスイッチを有するなどして、走行台車３が所定の位置で停止でき、また、所定ストロークの走行を保障するなどするのはもちろんである。
【００４２】
以上のように形成されたこの実施の形態による音響反射板装置は、これが格納状態におかれるときには、天井の音響反射板３０が倒伏された状態、すなわち、図１中に仮想線図で示すように、正面の音響反射板１０の上端部でいわゆる折り畳まれた状態に維持される。
【００４３】
そして、左右の音響反射板２０が、図２中にも仮想線図で示すように、それぞれ正面の音響反射板１０の背面に折り畳まれる状態に維持され、この状態で正面の音響反射板１０が外力作用で図２中の右方向となる舞台Ｓの奥側となる所定の格納場所に格納される。
【００４４】
一方、格納状態にある音響反射板装置を舞台Ｓの客席側に移動するには、上記したいわゆる折り畳み状態のまま正面の音響反射板１０への外力作用で所定位置まで移動すれば足り、その後、左右の音響反射板２０および天井の音響反射板３０をいわゆる使用状態にすれば良い。
【００４５】
前記したところでは、正面の反射板１０の頂部を構成する梁部材２は、走行台車３を介してレール１に連繋するとしているが、梁部材２が機能するところからすれば、たとえば、正面の音響反射板１０が極めて小型軽量に形成される場合には、走行台車３の配在が省略されて、梁部材２の両端が直にレール１に連繋されるとしても良いことはもちろんである。
【００４６】
ただ、多くの場合には、摺動性，移動性を保障する方策が講じられるであろうし、その観点からすれば、走行台車３に代えて、図示しないが、レール１に滑車が連繋されてなるとし、この滑車に梁部材２の両端を連繋するとしても良いことはもちろんである。
【００４７】
ちなみに、上記の滑車は、レール１内に延在などされるであろうワイヤなどの牽引部材に牽引されて移動することになるであろう。
【００４８】
【発明の効果】
以上のように、請求項１の発明にあっては、正面の音響反射板およびこの正面の音響反射板の左右側端に回動可能に支持されている左右の音響反射板の下端がそれぞれ舞台の床面から浮き上がった状態にあるまま、正面の音響反射板の頂部に連結される梁部材の両端が舞台の奥側から客席側に向けて水平に延在される左右のレールに移動可能に連繋されてなるとするから、この音響反射板装置を利用するために正面の音響反射板を舞台の客席側に配在するとき、および、不使用時に舞台の奥側に格納するときに、簡単に移動し得ることになる利点がある。
【００４９】
そして、請求項２の発明にあっては、不使用時に、天井の音響反射板を正面の音響反射板の上端部に垂下するように折り畳むようにし得るから、左右の音響反射板を正面の音響反射板の背面に折り畳むようにすることと相俟って、いわゆるコンパクト化することが可能になり、格納時の省スペース化を具現化できる利点がある。
【００５０】
また、請求項３の発明にあっては、正面の音響反射板が頂部に梁部材を有するとするから、この正面の音響反射板における機械的強度が向上されると共に、この機械的強度が向上された正面の音響反射板がレールに副って移動することになるから、この正面の音響反射板における捩れ方向の揺れが発生することも阻止できる点で有利となる。
【００５１】
さらに、請求項４の発明にあっては、正面の音響反射板は、梁部材の両端が固定状態に連繋される走行台車を介してレールに連繋されるとするから、両方の走行台車が剛体の梁部材で連結されることになり、したがって、走行台車のレール上での往復が繰り返されても、両者間における位置ズレが招来されなくなる。
【００５２】
その結果、この発明によれば、使用時に所定の音響効果が得られるのはもちろんのこと、移動時の音響反射板が不必要に揺れたりせず、また、移動を繰り返しても音響反射板の左右端間にズレを招来させずして、その汎用性の向上を期待するに最適となる利点がある。
【図面の簡単な説明】
【図１】この発明の一実施形態による音響反射板装置の使用状態を格納状態と共に示す縦断面図である。
【図２】図１における音響反射板装置の使用状態を示す平面図である。
【符号の説明】
１  レール
２  梁部材
３  走行台車
４  駆動機構
１０  正面の音響反射板
２０  左右の音響反射板
３０  天井の音響反射板
Ｆ  床面
Ｈ  ヒンジ
Ｓ  舞台
Ｗ  吊り材
【図１】
2004147736.tif 000003
【図２】
2004147736.tif 000004